(57)【要約】      （修正有）【課題】安定して正確に繭の切開位置を決定することができ、切開作業の安全性および作業効率の向上を図ることのできる繭カッターを提供する。【解決手段】カイコの繭を切開するための繭カッター１０であって、開口部２７を有し、該開口部２７にカミソリ１２の刃が臨むように該カミソリ１２を保持する、片手で把持可能なホルダー１３を備えている。【選択図】図１
0003216878.tif 000002
【実用新案登録請求の範囲】
【請求項１】
カイコの繭を切開するための繭カッターであって、
開口部を有し、該開口部にカミソリの刃が臨むように該カミソリを保持する、片手で把持可能なホルダーを備えていることを特徴とする繭カッター。
【請求項２】
前記カミソリは前記開口部を斜めに横断するように前記ホルダーに保持され、
前記開口部は、水平姿勢の前記ホルダーの下方から該開口部の周りに縦向きの前記繭を押し当てた時に該繭の上部が該開口部から突出する程度の幅を有するように形成されている請求項１に記載の繭カッター。
【請求項３】
前記ホルダーは、ホルダーベースと、該ホルダーベースに重合されるホルダー蓋と、を備え、前記カミソリは前記ホルダーベースと前記ホルダー蓋とによって挟持されている請求項１または２に記載の繭カッター。
【請求項４】
前記開口部の周囲には、該開口部に向かって前記ホルダーの厚みが薄くなるように傾斜部が形成されている請求項１〜３のいずれかの請求項に記載の繭カッター。
【請求項５】
前記開口部を覆うように前記ホルダーの両面に着脱可能に設けられるカッターカバーを備えている請求項１〜４のいずれかの請求項に記載の繭カッター。
【考案の詳細な説明】
【技術分野】
【０００１】
カイコの繭を切開して蛹を取り出す時に使用される繭カッターに関するものである。
【背景技術】
【０００２】
従来，カイコの繭から蛹を取り出す際には、片手で繭を持ち、反対側の手に持った市販のカッターナイフで繭を切開していた（例えば、特許文献１参照）。
【先行技術文献】
【特許文献】
【０００３】
【特許文献１】特開平５−１８６９０４号公報
【考案の概要】
【考案が解決しようとする課題】
【０００４】
しかしながら、上記した従来のやり方では、目視により繭の切開位置を決定していたため、正確に位置決めできないという問題がある。また、カッターナイフの刃が剥き出しになっているため、切開作業中に指を負傷する危険性が高いという問題もある。さらに、非熟練者の場合には、切開作業の効率が低下するという問題もある。
【０００５】
本考案は、上記課題を解決すべくなされたものであり、安定して正確に繭の切開位置を決定することができ、切開作業の安全性および作業効率の向上を図ることのできる繭カッターを提供することを目的とするものである。
【課題を解決するための手段】
【０００６】
上記した目的を達成するため、本考案は、カイコの繭を切開するための繭カッターであって、開口部を有し、該開口部にカミソリの刃が臨むように該カミソリを保持する、片手で把持可能なホルダーを備えていることを特徴とする。
【０００７】
この特徴によれば、安定して正確に繭を切開することができ、切開作業の安全性および作業効率の向上を図ることができる。
【０００８】
本発明に係る繭カッターにおいて、前記カミソリは前記開口部を斜めに横断するように前記ホルダーに保持され、前記開口部は、水平姿勢の前記ホルダーの下方から該開口部の周りに縦向きの前記繭を押し当てた時に該繭の上部が該開口部から突出する程度の幅を有するように形成されているのが好ましい。
【０００９】
この特徴によれば、繭の上部を開口部の周りに押し当てることで、繭の切開位置を正確に位置決めすることができる。また、繭を開口部に沿って動かすことで切開作業を行うことができるため、切開作業の非熟練者であっても、作業効率が低下することがない。また、カミソリの刃が剥き出しになっていないため、切開作業中に指を負傷する危険性が低く、切開作業の安全性の向上を図ることができる。
【００１０】
本発明に係る繭カッターにおいて、前記ホルダーは、ホルダーベースと、該ホルダーベースに重合されるホルダー蓋と、を備え、前記カミソリは前記ホルダーベースと前記ホルダー蓋とによって挟持されているのが好ましい。
【００１１】
この特徴によれば、ホルダーによってカミソリを安全且つ確実に保持することができる。
【００１２】
本発明に係る繭カッターにおいて、前記開口部の周囲には、該開口部に向かって前記ホルダーの厚みが薄くなるように傾斜部が形成されているのが好ましい。
【００１３】
この特徴によれば、繭の切開位置を傾斜部で正確に位置決めすることができるため、作業効率のさらなる向上を図ることができる。
【００１４】
本発明に係る繭カッターは、前記開口部を覆うように前記ホルダーの両面に着脱可能に設けられるカッターカバーを備えているのが好ましい。
【００１５】
この特徴によれば、繭カッターの未使用時にカミソリに指等が触れるのを防止することができ、安全性を高めることができる。
【考案の効果】
【００１６】
本考案によれば、安定して正確に繭の切開位置を決定することができ、切開作業の安全性および作業効率の向上を図ることができる等、種々の優れた効果を得ることができる。
【図面の簡単な説明】
【００１７】
【図１】本考案の実施の形態に係る繭カッターを示す斜視図である。
【図２】本考案の実施の形態に係る繭カッターを示す分解斜視図である。
【図３】本考案の実施の形態に係る繭カッターにおいてホルダーにカッターカバーを装着した状態を示す斜視図である。
【図４】本考案の実施の形態に係る繭カッターのカッターカバーを示す平面図である。
【図５】本考案の実施の形態に係る繭カッターのカッターカバーを示す側面図である。
【図６】本考案の実施の形態に係る繭カッターにおいてホルダーにカッターカバーを装着する方法を示す平面図である。
【図７】本考案の実施の形態に係る繭カッターの使用方法を示す斜視図である。
【考案を実施するための形態】
【００１８】
以下、図面を参照しつつ、本考案の実施の形態に係る繭カッター１０について詳細に説明する。図１は繭カッター１０を示す斜視図、図２は繭カッター１０を示す分解斜視図、図３は繭カッター１０においてホルダー１３にカッターカバー１４を装着した状態を示す斜視図、図４は繭カッター１０のカッターカバー１４を示す平面図、図５は繭カッター１０のカッターカバー１４を示す側面図、図６は繭カッター１０においてホルダー１３にカッターカバー１４を装着する方法を示す平面図、図７は繭カッター１０の使用方法を示す斜視図である。
【００１９】
本考案の実施の形態に係る繭カッター１０は、カイコの繭１１を切開して蛹を取り出すために使用される切断器具であり、カミソリ１２を保持するホルダー１３と、ホルダー１３に着脱可能に設けられるカッターカバー１４と、を備えている。
【００２０】
図１および図２に示されているように、ホルダー１３は、羽子板状に形成されるホルダーベース１５と、略ホームベース状に形成されるホルダー蓋１６と、を備えている。ホルダー１３は、例えば、ポリアセタール等の樹脂製である。ホルダーベース１５は、細長い矩形板状の取っ手部１７と、取っ手部１７の先端に固定される略ホームベース状の本体部１８と、により構成されている。
【００２１】
本体部１８の表面側には、ホルダー蓋１６が重合可能な凹部１９が形成されている。ホルダー蓋１６と凹部１９はそれぞれ取っ手部１７の１／２の厚みを有しており、ホルダー蓋１６が凹部１９に重合された状態で取っ手部１７と同一の厚みを有するように形成されている。凹部１９には、取っ手部１７の長手方向に沿って細長い長円形状のホルダーベース側開口部２０が形成されている。凹部１９の表面側には、ホルダーベース側開口部２０の先端側部分を斜めに横断するようにカミソリ収容部２１が凹状に形成されている。
【００２２】
カミソリ収容部２１には、カミソリ１２が嵌設可能となっている。この場合、カミソリ１２は、容易に交換可能なように市販品の両刃のカミソリであることが好ましいが、片刃のカミソリであっても良い。凹部１９の裏面側には、ホルダーベース側開口部２０の周囲の互いに対向する直線部分にそれぞれ傾斜部２２が設けられ、各傾斜部２２はホルダーベース側開口部２０に向かって凹部１９の厚みが薄くなるように形成されている。また、凹部１９には、ホルダーベース側開口部２０と取っ手部１７との間に小円形状のネジ穴２９が穿設されている。
【００２３】
本体部１８の先端部２３は、前記長手方向に直交する左右方向に直線状に形成されている。本体部１８の先端部２３の厚みは、取っ手部１７の厚みに等しく、凹部１９にホルダー蓋１６を嵌設した状態では、本体部１８の先端部２３とホルダー蓋１６と取っ手部１７のそれぞれの表面で平坦面を形成するようになっている。本体部１８の先端部２３の凹部１９側の内側面２４は、凹部１９の表面と成す角度が鋭角となるように傾斜して形成されている。
【００２４】
ホルダー蓋１６は、凹部１９に嵌設可能に形成されている。ホルダー蓋１６には、ホルダーベース１５側開口部２０およびネジ穴２９に対応する位置に、それぞれ、ホルダー蓋側開口部２８およびネジ穴２５が形成されている。ホルダー蓋１６の表面側には、ホルダーベース１５側の傾斜部２２に対応する位置に、それぞれ、傾斜部２６が設けられ、各傾斜部２６はホルダー蓋側開口部２８に向かってホルダー蓋１６の厚みが薄くなるように形成されている。
【００２５】
ホルダー蓋１６の裏面側には、ホルダーベース１５のカミソリ収容部２１に対応する位置に、カミソリ当接部（図示省略）が凸状に形成されている。該カミソリ当接部はホルダーベース１５のカミソリ収容部２１に嵌設可能となっている。また、ホルダー蓋１６の先端面は、本体部１８の先端部２３の内側面２４に合致するように傾斜して形成されている。これにより、ホルダーベース１５の凹部１９にホルダー蓋１６を重合した時に、ホルダー蓋１６が凹部１９に嵌設するようになっている。
【００２６】
ネジ穴２５の表面側は座繰り加工されている。カミソリ収容部２１にカミソリ１２を嵌設した状態で凹部１９にホルダー蓋１６を嵌設してネジ穴２５，２９にネジ（図示省略）を螺入すると、カミソリ１２が前記カミソリ当接部に押圧され、挟持されるため、カミソリ１２はホルダー１３に確実に保持される。
【００２７】
また、この時、ホルダー１３には、ホルダーベース側開口部２０とホルダー蓋側開口部２８とによって開口部２７が形成される。この開口部２７は、水平姿勢のホルダー１３の下方から開口部２７に縦向きの繭１１を押し当てた時に繭１１の上部（例えば、繭１１の全体高さの１／５程度）が開口部２７から突出する程度の幅を有するように形成されているのが好ましい。なお、開口部２７の幅は、繭の品種に合わせて寸法が変更されるのが好ましく、例えば、「朝・日×東・海」の場合には、１６ｍｍ程度の幅を有しているのが良い。
【００２８】
図３〜図５に示されているように、カッターカバー１４は、ホルダー１３の表面側に設けられる表側カバー部材３１と、ホルダー１３の裏面側に設けられる裏側カバー部材３２と、両側のカバー部材３１，３２の間に介装される連結部材３３と、を備えて構成されている。
【００２９】
表側カバー部材３１と裏側カバー部材３２は、それぞれ、同一の、材質、形状、寸法、及び構造を有している。表側カバー部材３１および裏側カバー部材３２は、例えば、ポリアセタール等の樹脂製であり、矩形板状を有している。表側カバー部材３１および裏側カバー部材３２の基端側の左右角部には、それぞれ、円形のネジ穴３４が形成されており、各ネジ穴３４は座繰り加工されている。表側カバー部材３１および裏側カバー部材３２の先端部には、それぞれの板状部分３５，３６から互いに近接する方向に直角に屈曲する屈曲部３７，３８が形成されている。
【００３０】
連結部材３３は、ホルダー１３と同一の厚みを有しており、表側カバー部材３１と裏側カバー部材３２の間の基端側の左右角部にそれぞれ配置されている。左右の連結部材３３の間には、ホルダー１３の取っ手部１７が挿通可能な隙間３９が形成されている。左右の連結部材３３の先端部分には、ホルダーベース１５の本体部１８とホルダー蓋１６の基端側の傾斜形状に対応するように、外側に向かって広がる傾斜部４０が形成されている。そして、各ネジ穴３４にネジ４２（図３参照）を螺入することで、表側カバー部材３１と裏側カバー部材３２とが連結部材３３を介して固定され、図５に示されているように、両側のカバー部材３１，３２の間にホルダー１３と同一の厚みを有する空間４１が形成されるようになっている。
【００３１】
上記した構成を備えたカッターカバー１４をホルダー１３に装着させる場合、表側カバー部材３１および裏側カバー部材３２の先端部を互いに離間する方向に弾性変形させ、カッターカバー１４を、図６に示す矢印方向にスライドさせ、取っ手部１７を空間４１から隙間３９に挿通させる。さらにカッターカバー１４を同方向にスライドさせて、屈曲部３７，３８が本体部１８の先端部２３を超えると、板状部分３５，３６の弾性により屈曲部３７，３８が互いに近接する方向に戻り先端部２３に掛止することで、カッターカバー１４はホルダー１３に装着される。これにより、開口部２７は表側カバー部材３１および裏側カバー部材３２によって覆われる。なお、カッターカバー１４をホルダー１３から取り外す場合には、上記した装着手順と反対の手順により行うことができる。
【００３２】
上記した構成を備えた繭カッター１０で繭１１を切開する場合、図７に示すように、片手で繭１１を持ち、反対側の手で取っ手部１７を把持して繭カッター１０を水平姿勢に保持する。繭カッター１０の下方から縦向きにした繭１１の上部を開口部２７の周りに押し当てると、繭１１の上部（例えば、繭１２の全体高さの１／５程度）が開口部２７から上方に突出する。この時、繭１１の上部は傾斜部２２にガイドされて開口部２７に誘導されるため、容易且つ円滑に位置決め作業を行うことができる。
【００３３】
次に、図７中の直線矢印のように、繭１１を開口部２７に沿ってカミソリ１２の刃の方向にスライドさせてカミソリ１２の刃に繭１１を押し付ける。そして、繭１１の一部分が切れたら、繭１１をカミソリ１２の刃に押し当てながら、図７中の回転矢印の方向に、回転させて繭１１の上部を切開する。
【００３４】
このように繭１１の切開作業中に、繭１１を縦向きにすることで、重力によって繭１１の中の蛹が下方に移動するため、繭の上部からおよそ２０％辺りの部分を切開すれば，蛹を傷つけずに取り出すことができる。
【００３５】
また、繭１１の上部を開口部２７の周りの傾斜部２２に押し当てることで、繭１１の切開位置を正確に位置決めすることができる。さらに、繭１１を開口部２７に沿って動かすことで切開作業を簡単に行うことができるため、切開作業の非熟練者であっても、作業効率を高めることができる。また、カミソリ１２の刃が剥き出しになっていないため、切開作業中に指を負傷する虞がなく、切開作業の安全性を高めることができる。さらにまた、ホルダー１３およびカッターカバー１４は、いずれも、上下左右対称形状を有しているため、右利きか左利き等に拘わらず、使用することができ、使い勝手が良い。
【００３６】
さらに、ホルダー１３やカッターカバー１４が樹脂（ポリアセタール）製であるため、機械的強度、および耐摩耗性が高い。また、加工性が高いため、容易に製造可能であると共に、高温から低温まで幅広い温度環境で使用することができ、汎用性を高めることができる。さらに、弾性および弾性回復率が高いので、耐久性を高めることができ、耐薬品性や耐溶剤性に優れるため，使用後の殺菌を容易に行うことができる。
【００３７】
なお、上記した本考案の実施の形態の説明は、本考案に係る繭カッター１０における好適な実施の形態を説明しているため、材質、形状、寸法、構造等において技術的に好ましい種々の限定を付している場合もあるが、本考案の技術範囲は、特に本考案を限定する記載がない限り、これらの態様に限定されるものではない。
【符号の説明】
【００３８】
１０    繭カッター
１１    繭
１２    カミソリ
１３    ホルダー
１４    カッターカバー
１５    ホルダーベース
１６    ホルダー蓋
２２    傾斜部
２７    開口部
【図１】
0003216878.tif 000003
【図２】
0003216878.tif 000004
【図３】
0003216878.tif 000005
【図４】
0003216878.tif 000006
【図５】
0003216878.tif 000007
【図６】
0003216878.tif 000008
【図７】
0003216878.tif 000009